(57)【要約】【課題】搬送中原稿の画像を読み取る画像読取り装置において，複数の画像読取り手段を有効活用して画像読取り手段の稼働率の均等化，原稿画像の両面読取り，及び原稿画像の読取り速度の飛躍的向上を可能とすること。【解決手段】複数の搬送路Ｒ１，Ｒ２と，そのそれぞれを搬送中の原稿の画像を読み取る画像読取り手段７，９と，原稿を搬送路Ｒ１，Ｒ２のいずれに導くかを切替える原稿分岐手段３とを設ける。さらに，第２の画像読取り手段９を移動可能として第１の搬送路Ｒ１を搬送中の原稿のうら面の画像を読み取り可能とする。また，原稿分岐手段３により原稿を２つの搬送路Ｒ１，Ｒ２に順次導いて２つの搬送路それぞれにおいて原稿の画像を並行して読取り可能とする。【選択図】図１
2004289666.tif 000002
【特許請求の範囲】
【請求項１】
原稿を所定の原稿トレイから自動搬送し，搬送中の前記原稿の画像を読み取る画像読取り装置において，
前記原稿が載置される複数の原稿トレイと，
前記原稿トレイごとに並列して設けらた前記原稿を搬送する複数の搬送路と，
前記搬送路ごとに設けられ搬送中の前記原稿の一方の面の画像を読み取る画像読取り手段と，を具備し，
２以上の前記搬送路において並行してそれぞれ異なる前記原稿の一方の面の画像を読取り可能に構成されてなることを特徴とする画像読取り装置。
【請求項２】
前記画像読取り手段の１又は複数を，他の前記搬送路を搬送中の前記原稿における前記一方の面及び／又はその反対側の面を読取る位置に移動させる読取り位置移動手段を具備してなる請求項１に記載の画像読取り装置。
【請求項３】
前記第１及び第２の画像読取り手段における画像の読取り条件をそれぞれ個別に設定可能に構成されてなる請求項２に記載の画像読取り装置。
【請求項４】
前記第２の画像読取り手段の移動経路に配置され，該第２の画像読取り手段を清掃するクリーニング手段を具備してなる請求項２又は３のいずれかに記載の画像読取り装置。
【請求項５】
前記第２の画像読取り手段の移動経路に配置され，該第２の画像読取り手段のシェーディング補正に用いるシェーディング板を具備してなる請求項２〜４のいずれかに記載の画像読取り装置。
【請求項６】
前記第２の画像読取り手段が，当該画像読取り装置から取り出し可能な位置へ移動可能に構成されてなる請求項２〜５のいずれかに記載の画像読取り装置。
【請求項７】
１又は複数の前記搬送路に設けられ該搬送路を搬送中の前記原稿における前記一方の面と反対側の面の画像を読み取る反対面画像読取り手段を具備してなる請求項１〜６のいずれかに記載の画像読取り装置。
【発明の詳細な説明】
【０００１】
【発明の属する技術分野】
本発明は，自動搬送中の原稿の画像を読み取る画像読取り装置に関するものである。
【０００２】
【従来の技術】
従来，ＡＤＦ（自動原稿送り装置（シート自動給送部））により原稿を所定の原稿トレイから搬送路に自動搬送し，搬送中の原稿の画像を読み取る画像読取り装置が知られている。さらに，例えば特許文献１に示されるように，搬送中の原稿の両面側それぞれに画像読取り手段を配置し，原稿の両面の画像を並行して読み取れるよう構成されたものも知られている。これにより，１回の原稿の搬送でその原稿の両面から画像を読み取ること（原稿画像の両面読取り）が可能となる。
一方，オフィス等においては，設置スペースや費用等の問題から，画像読取り装置は，複数の利用者で共用される場合が多く，画像読取り装置を効率的に共用したいというニーズが高い。
【０００３】
【特許文献１】
特開平１１−６９０８７号公報
【０００４】
【発明が解決しようとする課題】
しかしながら，特許文献１に示されるものも含め，従来の画像読取り装置は，一人ずつしか利用できず，共用している場合に利用者の渋滞が生じやすいという問題点があった。
従って，本発明は上記事情に鑑みてなされたものであり，その目的とするところは，共用している場合であっても設置スペースを大きく増やすことなく利用者の渋滞を解消できる画像読取り装置を提供することにある。
【０００５】
【課題を解決するための手段】
上記目的を達成するために本発明は，原稿を所定の原稿トレイから自動搬送し，搬送中の前記原稿の画像を読み取る画像読取り装置において，前記原稿が載置される複数の原稿トレイと，前記原稿トレイごとに並列して設けらた前記原稿を搬送する複数の搬送路と，前記搬送路ごとに設けられ搬送中の前記原稿の一方の面の画像を読み取る画像読取り手段と，を具備し，２以上の前記搬送路において並行してそれぞれ異なる前記原稿の一方の面の画像を読取り可能に構成されてなることを特徴とする画像読取り装置として構成されるものである。
このような構成により，当該画像読取り装置を同時に（並行して）複数の利用者によって利用可能となる。その結果，複数の利用者で共用する場合に，設置スペースを大きく増やすことなく利用者の渋滞を解消することが可能となる。
【０００６】
また，前記画像読取り手段の１又は複数を，他の前記搬送路を搬送中の前記原稿における前記一方の面及び／又はその反対側の面を読取る位置に移動させる読取り位置移動手段を具備するものも考えられる。
これにより，原稿画像の両面読取りや，原稿の一方の面の２度読み（前記第１及び第２の画像読取り手段それぞれにより１回ずつ一方の面の画像を読み取ること）が可能となる。この場合，一般的に利用頻度の低い原稿のうら面用の画像読取り手段を移動可能とすることで，画像読取り手段の稼働率が高まり，効率的に利用できることになる。
ここで，前記２度読みを可能とすることにより，次のようなことが可能となる。例えば，得られた２つの画像データを相互補完する画像処理を行うことにより，前記第１又は第２の画像読取り手段に付着した塵等に起因して画像データに生じる縦すじを除去（防止）する等の画像補正処理を行うことが可能となる。また，予め前記第１及び第２の画像読取り手段それぞれに対して個別に読取り条件（読み取り濃度の条件等）を設定可能に構成すれば，画像の読み取り条件（濃度等）を試行錯誤的に調節したい場合に，１回の原稿の搬送で２つの条件設定の画像データを得ることができるので，試行回数を減らすことが可能となる。
【０００７】
また，前記第２の画像読取り手段の移動経路に，該第２の画像読取り手段を清掃するクリーニング手段や，前記第２の画像読取り手段のシェーディング補正に用いるシェーディング板が配置されたものも考えられる。
これにより，前記第２の画像読取り手段が移動可能であることを利用して，前記第２の画像読取り手段の清掃及びシェーディング補正を行うことが可能となる。
【０００８】
また，前記第２の画像読取り手段が，当該画像読取り装置から取り出し可能な位置へ移動可能に構成されたものも考えられる。
これにより，前記第２の画像読取り手段を取り出してメンテナンスすることが容易となる。
【０００９】
また，１又は複数の前記搬送路に設けられ該搬送路を搬送中の前記原稿における前記一方の面と反対側の面の画像を読み取る反対面画像読取り手段を具備するものであっても，原稿画像の両面読取りが可能となる。この場合，前記読取り位置移動手段と併設することにより，画像読取り手段の数を抑えながらより多様な原稿画像の並行読取りが可能となる。
【００１０】
【発明の実施の形態】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施の形態に係る画像読取り装置Ｘの概略断面を模式的に表した図，図２は本発明の実施の形態に係る画像読取り装置Ｘが具備する第２の画像読取り手段の概略断面を模式的に表した図，図３は本発明の第１の実施例に係る画像読取り装置Ｘ１の概略断面を模式的に表した図，図４は本発明の第２の実施例に係る画像読取り装置Ｘ２の概略断面を模式的に表した図，図５は本発明の第２の実施例に係る画像読取り装置Ｘ２における第２の画像読取り手段及びその移動機構の概略断面を模式的に表した図である。
【００１１】
まず，図１を用いて，本発明の実施の形態に係る画像読取り装置Ｘの構成について説明する。
それぞれ原稿Ｓを積載する第１の原稿トレイ１ａ及び第２の原稿トレイ１ｂと，該第１及び第２の原稿トレイ１ａ，１ｂそれぞれから原稿Ｓを排出（装置内へ供給）するピックアップローラ等からなる第１の原稿供給手段２ａ及び第２の原稿供給手段２ｂと，前記第１及び第２の原稿トレイ１ａ，１ｂそれぞれから搬送されてくる原稿Ｓの搬送路であり，それぞれ並列して設けられた第１の搬送路Ｒ１及び第２の搬送路Ｒ２と，前記第１及び第２の搬送路Ｒ１，Ｒ２において原稿Ｓを搬送する複数の搬送ローラ４と，前記第１の搬送路Ｒ１を搬送中の原稿Ｓの一方の面（前記第１の原稿トレイ１ａに載置されたときの上面側，以下，便宜上おもて面という）の画像をガラス板７を介して読み取る第１の画像読取り手段８と，前記第２の搬送路Ｒ２を搬送中の原稿Ｓのおもて面（前記第２の原稿トレイ１ｂに載置されたときの上面側）の画像と前記第１の搬送路Ｒ１を搬送中の原稿Ｓのうら面（前記おもて面の反対側の面）とを選択的に読み取れるように反転（移動）可能に構成された第２の画像読取り手段９と，前記第１及び第２の搬送路Ｒ１，Ｒ２それぞれについて設けられ，画像が読み取られた原稿Ｓが排出される第１の原稿排出トレイ５ａ及び第２の原稿排出と例５ｂと，原稿画像を１枚ずつ手動操作により読み取る際のプラテンガラスの機能を果たす原稿台６とを具備している。
【００１２】
前記第１の画像読取り手段８は，２つの光学系走査ユニットである第１及び第２の走査ユニット８１，８２を具備している。
前記第１の走査ユニット８１は，所定の搬送原稿読取位置Ｐ０に停止した状態で，主走査方向（図１の奥行き方向）に１ラインずつ露光して原稿Ｓからの反射光を前記第２の走査ユニット８２に導くものであり，光源（例えば，ハロゲンランプや蛍光灯などの露光ランプ）８１ａと，原稿Ｓからの反射光を第２の走査ユニット８２に導く第１の反射ミラー８１ｂとを備える。
前記第２の走査ユニット８２は，前記第１の走査ユニット８１に追随して所定の速度（例えば，前記第１の走査ユニット８１の半分の速度）で移動するよう制御され，前記第１の反射ミラー８１ｂからの反射光を前記結像レンズ８３に導く第２及び第３の反射ミラー８２ａ，８２ｂを備える。前記結像レンズ８３は，前記第３の反射ミラー８２ｂからの反射光を，ＣＣＤ８４（Ｃｈａｒｇｅ  Ｃｏｕｐｌｅｄ  Ｄｅｖｉｃｅ）上で結像させるものである。該ＣＣＤ８４は，前記結像レンズ８３からの反射光をアナログの電気信号に変換するものである。なお，この電気信号は，不図示の画像処理部によってデジタルの画像データに変換され，画像メモリに記憶されたり，画像形成装置や外部の機器などに出力される。ここで，前記第１及び第２の画像読取り手段９の配置位置は，図１に示す位置に限るものではないが，読取り画像の品質上，相互に対向配置しないことが望ましい。
【００１３】
次に，図２を用いて，前記第２の画像読取り手段９の構成及び動作について説明する。図２は，前記第２の画像読取り手段の概略断面を模式的に表したものである。
図２に示すように，前記第２の画像読取り手段９は，コンタクトガラス９４とアレー状に形成された光源９１，結像レンズ９２，及びＣＣＤ９３とが一体となったＣＩＳ（Ｃｏｎｔａｃｔ  Ｉｍａｇｅ  Ｓｅｎｓｏｒ）からなり，原稿Ｓの案内手段である２つのガイド板９ａ，９ｂとともに第２の画像読取りユニット９０を構成している。この原稿Ｓの案内手段は，例えば，ガイドローラ等の他の手段により構成することも考えられる。
また，前記第２の画像読取り手段９は，前記第２の画像読取りユニット９０内で，ステッピングモータ等の駆動源９６（前記読取り位置移動手段の一例）によって所定の回転軸９５の回りに回転可能であり，前記ガイド板９ａ，９ｂそれぞれに向かう方向Ｖ１，Ｖ２に停止可能に構成されている。そして，前記第２の画像読取りユニット９０は，前記第１の搬送路Ｒ１と前記第１のガイド板９ａ及びＶ１方向へ向けた前記コンタクトガラス９４の隙間（原稿の通路）とが合致し，前記第２の搬送路Ｒ２と前記第２のガイド板９ｂ及びＶ２方向へ向けた前記コンタクトガラス９４の隙間（原稿の通路）とが合致するよう配置されている。
これにより，前記第２の画像読取り手段９を，Ｖ１方向に向けて停止させた状態において前記第１の搬送路Ｒ１を搬送中の原稿Ｓのうら面の画像を読み取ることができ，Ｖ２方向に向けて停止させた状態において前記第２の搬送路Ｒ２を搬送中の原稿Ｓのおもて面の画像を読み取ることができる（前期第２の画像読取りユニット９０が前記読取り位置移動手段の構成の一例）。
【００１４】
本画像読取り装置Ｘは，不図示の操作部からの設定操作により，トレイＡ側片面読取りモード，トレイＢ側片面読取りモード，及びトレイＡ側両面読取りモードの３つのモード選択が可能に構成されている。
前記トレイＡ側片面読取りモードとは，前記第１の原稿トレイ１ａに積載され前記第１の搬送路Ｒ１に搬送される原稿Ｓのおもて面を前記第１の画像読取り手段７により読み取るモードである。ここで，前記トレイＡ側片面読取りモードと前記トレイＢ側片面読取りモードとは並行して実行可能に構成されている。例えば，読み取られた画像データの処理を行う不図示の画像データ処理部の処理能力に余裕を持たせる，或いは前記画像データ処理部を前記搬送路Ｒ，Ｒ２ごとに設ける等により並行実行が可能となる。
一方，前記トレイＢ側画像読取りモードとは，前記第２の原稿トレイ１ｂに積載され前記第２の搬送路Ｒ２に搬送される原稿Ｓのおもて面を前記第２の画像読取り手段９により読み取るモードである。
また，前記トレイＡ側両面読取りモードとは，前記第１の原稿トレイ１ａに積載され前記第１の搬送路Ｒ１に搬送される原稿Ｓの両面（おもて面とうら面）を，前記第１及び第２の画像読取り手段８，９により並行して読み取るモードである。
【００１５】
前記トレイＢ側片面読取りモードに設定された場合は，前記第２の画像読取り手段９は，不図示の制御部により，前記第２の搬送路Ｒ２を搬送中の原稿Ｓのおもて面の画像を読み取る方向Ｖ１に向けられる。これにより，前記第２の搬送路Ｒ２において前記第２の画像読取り手段９により原稿Ｓのおもて面の画像を読み取ることが可能となる。
一方，前記トレイＡ側両面読取りモードに設定された場合は，前記第２の画像読取り手段９は，前記第１の搬送路Ｒ１を搬送中の原稿Ｓのうら面の画像を読み取る方向Ｖ２に向けられる。これにより，前記第１及び第２の画像読取り手段８，９により前記第１の搬送路Ｒ１を搬送中の原稿Ｓのおもて面及びうら面の両面の画像を並行して読み取ることが可能となる。
また，前記トレイＡ側片面読取りモードに設定された場合は，前記第２の画像読取り手段９の位置（向く方向）は特に制御されない。
このような構成により，前記トレイＡ側片面読取りモード又は前記トレイＡ側両面読取りモードのいずれかと前記Ｂ側片面読取りモードとを並行して実行できるので，同時に２人の利用者が当該画像読取り装置Ｘを利用することが可能となり，利用者の渋滞が解消される。しかも，従来の原稿読取り装置Ｘを２台設けるよりも省スペース化及び小コスト化（省資源化）が図れる。さらに，原稿画像の両面読取り用として従来設けられていた前記第２の画像読取り手段９が移動可能に構成されることにより，一般的に利用頻度の低い原稿のうら面用の画像読取り手段（前記第２の画像読取り手段９）の稼働率が高まり，効率的に利用できることになる。
また，本実施の形態では，原稿の搬送路が２つである場合について示したが，これに限るものでなく，同様の構成によりそれぞれ画像読取り手段が設けられた３つ以上の搬送路を設けたものも考えられる。これにより，効果的に利用者の渋滞を解消（待ち時間短縮）できる。
また，本実施の形態では，前記第２の画像読取り手段９を移動可能としたが，前記第２の搬送路Ｒ２側に向けて固定されたとしても，原稿画像の片面読取りであれば，２人の利用者が同時に利用できる効果に変わりはない。
【００１６】
【実施例】
（第１の実施例）
次に，前記画像読取り装置Ｘの第１の応用例である画像読取りＸ１について説明する。
本発明の第１の実施例に係る画像読取り装置Ｘ１は，前記画像読取り装置Ｘに，前記第２の搬送路を搬送中の原稿Ｓのうら面の画像を読み取る第３の画像読取り手段１０（前記反対面画像読取り手段の一例）を新たに追加して設けたものである。該第３の画像読取り手段１０としては，例えば前記第２の画像読取り手段と同様のＣＩＳを用いることが考えられる。
このような構成とすることにより，前述した３つの画像読取りモードに加え，トレイＢ側両面読取りモード，即ち，前記第２の原稿トレイ１ｂに積載され前記第２の搬送路Ｒ２に搬送される原稿Ｓの両面（おもて面とうら面）を，前記第２及び第３の画像読取り手段９，１０により並行して読み取るモード（機能）も付加することが可能となる。
これにより，前記第１及び第２の原稿トレイ１ａ，１ｂのいずれに原稿Ｓをセットしても原稿画像の両面読み取りが可能となり，他の利用者が前記トレイＡ側片面読取りモードで当該画像読取り装置Ｘ１を使用中であっても，前記トレイＢ側両面読取りモードにより原稿画像の両面読取りが可能となる。このように，移動可能な画像読取り手段と固定されたうら面用の画像読取り手段とを併設すれば，両方の（全ての）搬送路Ｒ１，Ｒ２にうら面用の画像読取り手段を設けることなく，画像読取り手段の数を抑えながらより多様な原稿画像の並行読取りが可能となる。
【００１７】
（第２の実施例）
次に，前記画像読取り装置Ｘの第２の応用例である画像読取り装置Ｘ２について説明する。
本発明の第２の実施例に係る画像読取り装置Ｘ２は，前記第２の画像読取り手段を，ガイドレールに沿わせて任意の搬送路へ移動可能とするとともに，原稿のうら面画像も読み取れるように前記画像読取り手段９を回転可能に構成したものである。以下，便宜上，画像読取り装置Ｘ２における前記画像読取り手段の図番は９’と表すが，それ自体は前記画像読取り手段９と同じものである。
図４は，画像読取り装置Ｘ２の概略断面を模式的に表した図である。図４に示すように，画像読取り装置Ｘ２の構成は，前記画像読取り手段９’の位置及びその移動範囲（移動機構）が異なる以外は，前記画像読取り装置Ｘと同じである。
【００１８】
本画像読取り装置Ｘ２は，不図示の操作部からの設定操作により選択可能なモードが，前述した３つのモード（前記トレイＡ側片面読取りモード，前記トレイＢ側片面読取りモード，及び前記トレイＡ側両面読取りモード）に加え，高画質読取りモード及び２条件読取りモードの２つのモードが追加されている。
前記高画質読取りモードとは，前記第１の搬送路Ｒ１を搬送中の原稿Ｓのおもて面の画像を前記第１及び第２の画像読取り手段８，９の両方により同じ読取り条件（読取り濃度等）で重複して読み取り（以下，このように原稿の同じ面の画像を２つの画像読取り手段８，９で読み取ることを２度読みという），得られた２つの画像データを不図示の画像処理部によって相互補完することにより，前記第１又は第２の画像読取り手段に付着した塵等に起因して画像データに生じる縦すじを除去（防止）する等の画像補正処理を行うモードである。
前記２条件読取りモードとは，前記２度読みを行う点では，前記高画質読取りモードと同様であるが，予め前記第１及び第２の画像読取り手段８，９それぞれに対して個別に読取り条件（読み取り濃度の条件等）を設定でき，各条件での２つの画像データが得られるモードである。これにより，画像の読み取り条件（濃度等）を試行錯誤的に調節したい場合に，１回の原稿の搬送で２つの条件設定の画像データを得ることができるので，試行回数を減らすことが可能となる。
【００１９】
以下，図５を用いて，前記第２の画像読取り手段９’の構成及び動作について説明する。図５は，画像読取り装置Ｘ２における前記第２の画像読取り手段及びその移動機構の概略断面を模式的に表したものであり，破線枠内は，前記第２の画像読取り手段を備えた第２の画像読取りユニット９０の部分のみを取り出して表したものである。但し，図２に対して反時計回りに９０°方向を変えて表されている。
画像読取り装置Ｘ２における前記第２の画像読取り手段９’は，原稿Ｓの案内手段である２つのガイド板９ａ，９ｂとともに第２の画像読取りユニット９０を構成している。この原稿Ｓの案内手段は，例えば，ガイドローラ等の他の手段により構成することも考えられる。
また，前記第２の画像読取り手段９’は，前記第２の画像読取りユニット９０内で，不図示のステッピングモータ等の駆動源によって所定の回転軸９５の回りに回転可能であり，前記ガイド板９ａ，９ｂそれぞれに向かう方向Ｖ１，Ｖ２と該第２の画像読取り手段９’におけるシェーディング補正を行う際に用いる例えば白色のシェーディング板１１（基準読取り濃度設定用の板）及び前記コンタクトガラス９４の清掃を行うクリーニング装置１２（クリーニング手段）に向かう方向Ｖ３に停止可能に構成されている。
これにより，前記第２の画像読取り手段９を，Ｖ１方向に向けて停止させた状態において前記ガイド板９ａと前記コンタクトガラス９４との間を通過する（搬送される）原稿Ｓの画像を読み取ることができ，Ｖ２方向に向けて停止させた状態において前記ガイド板９ｂと前記コンタクトガラス９４との間を通過する（搬送される）原稿Ｓの画像を読み取ることができる。
【００２０】
前記第２の画像読取りユニット９０は，前記第１及び第２の搬送路Ｒ１，Ｒ２それぞれに対して略直交する方向に配置されたガイドレール２０に支持されており，不図示のステッピングモータ等の駆動源によって該ガイドレール２０に沿って移動可能に構成されている。そして，前記第２の画像読取りユニット９０は，前記第１の搬送路Ｒ１と前記第２のガイド板９ｂ及びＶ２方向へ向けた前記コンタクトガラス９４の隙間（原稿の通路）とが合致する位置である２度読み位置Ｐ２，前記第１の搬送路Ｒ１と前記第１のガイド板９ａ及びＶ１方向へ向けた前記コンタクトガラス９４の隙間（原稿の通路）とが合致する位置である両面読み位置Ｐ３，前記シェーディング板１１に対向する位置であるシェーディング補正位置Ｐ４，前記クリーニング装置１２に対向する位置であるクリーニング位置Ｐ５，及び前記第２の搬送路Ｒ２と前記第２のガイド板９ｂ及び前記コンタクトガラス９４の隙間（原稿の通路）とが合致する位置である片面読み位置Ｐ６の各位置に停止可能に構成されている（即ち，前記シェーディング板１１及び前記クリーニング装置１２が前記第２の画像読取り手段９の移動経路に配置されている）。
本画像読取り装置Ｘでは，前記第２の画像読取りユニット９０の移動にステッピングモータを用い，所定の基準位置Ｐ１からの移動距離（ステップ数）によって前記各位置Ｐ２〜Ｐ６に位置決めされる。前記ガイドレール２０の一方の端部付近の前記基準位置Ｐ１には，前記第２の画像読取り手段９がその位置に存在するか否かを検出するユニット検出センサ１３が設けられており，該センサ１３によって前記基準位置Ｐ１の位置決めが行われる。
また，この基準位置Ｐ１は，前記第２の画像読取りユニット９０を，当該画像読取り装置Ｘから当該装置Ｘを分解することなく取り出し可能な位置としている。これにより，前記第２の画像読取り手段９を取り出してメンテナンスすることが容易となる。
【００２１】
前記高画質読取りモード又は前記前記２条件読取りモードのいずれかに設定された場合は，前記第２の画像読取りユニット９０は，前記２度読み位置Ｐ２に位置決めされるとともに，前記第２の画像読取り手段９がＶ２方向に向けられる。
これにより，前記第１の搬送路Ｒ１を搬送中の原稿Ｓのおもて面の画像を読み取ることが可能となり，前記第１の搬送路Ｒ１を搬送中の原稿Ｓの画像を，前記第１及び第２の画像読取り手段８，９により前記２度読みを行うことにより，得られた２つの画像データの相互補完を行って画質を向上させることや，画像の読み取り条件を試行錯誤的に調節したい場合において試行回数を減らすことが可能となる。
また，前記トレイＢ側片面読取りモードに設定された場合は，前記第２の画像読取りユニット９０は，前記片面読み位置Ｐ６に位置決めされるとともに，前記第２の画像読取り手段９がＶ２方向に向けられる。これにより，前記第２の搬送路Ｒ２を搬送中の原稿Ｓのおもて面の画像を読み取ることが可能となり，前記第１及び第２の搬送路Ｒ１，Ｒ２それぞれにおいて前記第１及び第２の画像読取り手段８，９により原稿Ｓのおもて面の画像を並行して読み取ることも可能となる。
また，前記トレイＡ側両面読取りモードに設定された場合は，前記第２の画像読取りユニット９０は，前記両面読み位置Ｐ３に位置決めされるとともに，前記第２の画像読取り手段９がＶ１方向に向けられる。これにより，前記第１の搬送路Ｒ１を搬送中の原稿Ｓのうら面の画像を読み取ることが可能となり，前記第１及び第２の画像読取り手段８，９により前記第１の搬送路Ｒ１を搬送中の原稿Ｓのおもて面及びうら面の両面の画像を並行して読み取ることが可能となる。
また，起動時や所定の操作がなされた際等に，前記第２の画像読取り手段９のシェーディング補正を行う場合には，前記第２の画像読取りユニット９０は，前記シェーディング補正位置Ｐ４に位置決めされるとともに，前記第２の画像読取り手段９がＶ３方向に向けられる。同様に，前記コンタクトガラス９４の清掃を行う場合には，前記第２の画像読取りユニット９０は，前記クリーニング位置Ｐ５に位置決めされるとともに，前記第２の画像読取り手段９がＶ３方向に向けられる。
これにより，前記第２の画像読取り手段９が移動可能であることを利用して，前記第２の画像読取り手段９の清掃及びシェーディング補正を行うことが可能となる。
【００２２】
【発明の効果】
以上説明したように，本発明によれば，原稿トレイと画像読取り手段が設けられた原稿の搬送路とが複数設けられ，それらが並行使用可能な画像読取り装置であるので，同時に（並行して）複数の利用者によって利用可能となる。その結果，複数の利用者で共用する場合に，設置スペースを大きく増やすことなく利用者の渋滞を解消することが可能となる。
さらに，画像読取り手段の１又は複数を他の搬送路を搬送中の原稿の反対面の読取位置に移動可能とすることにより，原稿画像の両面読取りも可能となる。この場合，一般的に利用頻度の低い原稿のうら面用の画像読取り手段を移動可能とすることで，画像読取り手段の稼働率が高まり，効率的に利用できることになる。
また，１又は複数の搬送路に反対面の画像を読み取る画像読取り手段を設けることによっても原稿画像の両面読取りが可能となる。さらに，移動可能な画像読取り手段と併設すれば，画像読取り手段の数を抑えながらより多様な原稿画像の並行読取りが可能となる。
【図面の簡単な説明】
【図１】本発明の実施の形態に係る画像読取り装置Ｘの概略断面を模式的に表した図。
【図２】本発明の実施の形態に係る画像読取り装置Ｘが具備する第２の画像読取り手段の概略断面を模式的に表した図。
【図３】本発明の第１の実施例に係る画像読取り装置Ｘ１の概略断面を模式的に表した図。
【図４】本発明の第２の実施例に係る画像読取り装置Ｘ２の概略断面を模式的に表した図。
【図５】本発明の第２の実施例に係る画像読取り装置Ｘ２における第２の画像読取り手段及びその移動機構の概略断面を模式的に表した図。
【符号の説明】
１ａ，１ｂ…第１及び第２の原稿トレイ
２ａ，２ｂ…第１及び第２の原稿供給手段
４…搬送ローラ
５ａ，５ｂ…第１及び第２の原稿排出トレイ
６…原稿台
７…ガラス板
８…第１の画像読取り手段
９…第２の画像読取り手段
１０…第３の画像読取り手段
２０…ガイドレール
９０…第２の画像読取りユニット
９１…光源
９２…結像レンズ９２
９３…ＣＣＤ
９４…コンタクトガラス
９６…駆動源（読取り位置移動手段）
９ａ，９ｂ…ガイド板
Ｒ１…第１の搬送路
Ｒ２…第２の搬送路
Ｓ…原稿
【図１】
2004289666.tif 000003
【図２】
2004289666.tif 000004
【図３】
2004289666.tif 000005
【図４】
2004289666.tif 000006
【図５】
2004289666.tif 000007